(57)【要約】【課題】  簡易な形状で、手すり機能と物掛けの機能とを兼用する物掛け兼用手すりを備えた玄関を提供することを目的とする。【解決手段】  玄関１は、垂直方向へ延び、把持される長尺な把持部２１を、玄関土間１１と玄関ホール１２との境界付近の壁面Ｗ１ａから室内方向へ突出する突出部２２で支持してなる物掛け兼用手すり２を備えた玄関であり、把持部２１は、水平方向へ間隔を空けて複数配置されるとともに、下端部を壁面Ｗ１ａ方向へ折曲してフック状の第１フック部２１ａを形成している。【選択図】図１
2020190113.tif 000002
【特許請求の範囲】
【請求項１】
垂直方向へ延び、把持される長尺な把持部を、玄関土間と玄関ホールとの境界付近の壁面から室内方向へ突出する突出部で支持してなる物掛け兼用手すりを備えた玄関であって、
前記把持部は、水平方向へ間隔を空けて複数配置されるとともに、下端部を前記壁面方向へ折曲してフック状の第１フック部を形成していることを特徴とする玄関。
【請求項２】
前記物掛け兼用手すりは、隣合う前記把持部同士が水平方向へ延びる連結部によって連結されており、
前記把持部は、上端部が前記突出部の上端及び前記連結部の上端よりも上方へ突出することを特徴とする請求項１に記載の玄関。
【請求項３】
複数の前記把持部は、それぞれ垂直方向の長さが異なることを特徴とする請求項１又は請求項２に記載の玄関。
【請求項４】
複数の前記把持部は、それぞれ太さが異なることを特徴とする請求項１から請求項３のいずれかに記載の玄関。
【請求項５】
複数の前記把持部は、それぞれ壁面からの離間距離が異なることを特徴とする請求項１から請求項４のいずれかに記載の玄関。
【請求項６】
前記連結部は、最も端に配置される前記把持部から、隣合う他の前記把持部と反対の方向へ突出することを特徴とする請求項２から請求項５のいずれかに記載の玄関。
【請求項７】
前記突出部は、前記壁面の面外方向へ伸縮自在であり、
前記連結部は、可撓性を有することを特徴とする請求項２から請求項６のいずれかに記載の玄関。
【請求項８】
前記突出部及び前記連結部は、それぞれ上下方向に間隔を空けて複数配置されることを特徴とする請求項２から請求項７のいずれかに記載の玄関。
【請求項９】
前記物掛け兼用手すりは、前記把持部、前記突出部、及び前記連結部に着脱可能な第２フック部を有することを特徴とする請求項２から請求項７のいずれかに記載の玄関。
【請求項１０】
前記前記把持部、前記突出部、及び前記連結部は、断面視略円形であり、
前記第２フック部は、前記把持部、前記突出部、及び前記連結部に係止する円筒形状の嵌合部と、当該嵌合部に係合するとともに、前記嵌合部の円周方向に回動し、物品を引掛ける引掛けフックを形成した回動部と、を具備することを特徴とする請求項９に記載の玄関。
【発明の詳細な説明】
【技術分野】
【０００１】
本発明は、物掛け兼用手すりを備えた玄関に関する。
【背景技術】
【０００２】
従来より、住宅の玄関やトイレ、浴室などの壁面に介助用の手すりを設置することが一般化している（特許文献１、特許文献２）。例えば賃貸住宅では、身体的にハンディキャップのある居住者が入居した場合に居住者の日常生活を補助できるよう、玄関に手すりを設けておくことがある。しかしながら、賃貸住宅の主要な居住者層である２０代〜３０代の単身者や子育て世帯は、日常的に手すりを使うことがほとんどなく活用されないことが多い。そこで、手すり機能と物掛けの機能を兼用する玄関収納が提案されている（特許文献３）。
【先行技術文献】
【特許文献】
【０００３】
【特許文献１】特開２００３−２７６８９
【特許文献２】特開２０００−１９２６３３
【特許文献３】特開２００８−１４４４１４
【発明の概要】
【発明が解決しようとする課題】
【０００４】
しかしながら特許文献３に記載の発明は、箱状の収納部や開閉自在な戸を設置しなければならず、通常の手すりと比較して設置手間や費用が増大することになる。また、収納部内に収納できる大きさの物品でなければ物を掛けることができないため、入居者が子供用品や日用品など様々な形状の物品を多く有する世帯層である場合は、玄関収納を十分に活用できない可能性が高い。
【０００５】
そこで、本発明は、上述した課題を鑑みてなされたものであって、簡易な形状で、手すり機能と物掛けの機能とを兼用する物掛け兼用手すりを備えた玄関を提供することを目的とする。
【課題を解決するための手段】
【０００６】
本発明の第１の玄関は、垂直方向へ延び、把持される長尺な把持部を、玄関土間と玄関ホールとの境界付近の壁面から室内方向へ突出する突出部で支持してなる物掛け兼用手すりを備えた玄関であって、前記把持部は、水平方向へ間隔を空けて複数配置されるとともに、下端部を前記壁面方向へ折曲してフック状の第１フック部を形成していることを特徴としている。
【０００７】
本発明の第２の玄関は、前記物掛け兼用手すりが、隣合う前記把持部同士が水平方向へ延びる連結部によって連結されており、前記把持部は、上端部が前記突出部の上端及び前記連結部の上端よりも上方へ突出することを特徴としている。
【０００８】
本発明の第３の玄関は、複数の前記把持部が、それぞれ長さが異なることを特徴としている。
【０００９】
本発明の第４の玄関は、複数の前記把持部が、それぞれ太さが異なることを特徴としている。
【００１０】
本発明の第５の玄関は、複数の前記把持部が、それぞれ壁面からの離間距離が異なることを特徴としている。
【００１１】
本発明の第６の玄関は、前記連結部が、最も端に配置される前記把持部から、隣合う他の前記把持部と反対の方向へ突出することを特徴としている。
【００１２】
本発明の第７の玄関は、前記突出部が、前記壁面の面外方向へ伸縮自在であり、前記連結部は、可撓性を有することを特徴としている。
【００１３】
本発明の第８の玄関は、前記突出部及び前記連結部が、それぞれ上下方向に間隔を空けて複数配置されることを特徴としている。
【００１４】
本発明の第９の玄関は、前記物掛け兼用手すりが、前記把持部、前記突出部、及び前記連結部に着脱可能な第２フック部を有することを特徴としている。
【００１５】
本発明の第１０の玄関は、前記前記把持部、前記突出部、及び前記連結部が、断面視略円形であり、前記第２フック部は、前記把持部、前記突出部、及び前記連結部に係止する円筒形状の嵌合部と、当該嵌合部に係合するとともに、前記嵌合部の円周方向に回動し、物品を引掛ける引掛けフックを形成した回動部と、を具備することを特徴としている。
【発明の効果】
【００１６】
本発明の第１の玄関によると、物掛け兼用手すりの把持部は、水平方向へ間隔を空けて複数配置されるとともに、下端部を壁面方向へ折曲して第１フック部を形成しているので、複数の第１フック部に物を掛けることができ、手すりとして使用しない場合であっても物掛けとして使用する、又は、手すりと物掛けとを使い分けることができ、簡易な構成でありながらも利便性を向上させることができる。また、把持部は壁面から室内方向へ突出する突出部によって支持されているので、フックに吊下げたものやカラビナなどを突出部にも掛けることができ、利便性を向上させることができる。そして、第１フック部の先端は壁面方向へ向けられているので、玄関を行き来する際に第１フック部を衣服に引掛けたり、第１フック部が目立つことによる玄関の意匠性の低下を防止することができる。
【００１７】
本発明の第２の玄関によると、隣合う把持部同士は水平方向へ延びる連結部によって連結され、また把持部の上端部が突出部の上端及び連結部の上端よりも上方へ突出するので、連結部や把持部の上端部にも物を引掛けることができ、また、突出部に掛けたものが下方へ落下することを防止できる。
【００１８】
本発明の第３の玄関によると、複数の把持部は、それぞれ長さが異なるので、引掛ける物品の形状によって、複数の把持部を使い分けることができ、利便性を向上させることができる。
【００１９】
本発明の第４の玄関によると、複数の把持部はそれぞれ太さが異なるので、引掛ける物品の形状や重量によって、複数の把持部を使い分けることができ、利便性を向上させることができる。
【００２０】
本発明の第５の玄関によると、複数の把持部は、それぞれ壁面からの離間距離が異なるので、引掛ける物品の奥行き寸法によって複数の把持部を使い分けることができ、利便性を向上させることができる。
【００２１】
本発明の第６の玄関によると、連結部は、最も端に配置される把持部から、隣合う他の把持部と反対の方向へ突出するので、連結部の先端部にも物を掛けることができ、利便性を向上させることができる。
【００２２】
本発明の第７の玄関によると、突出部は壁面の面外方向へ伸縮自在であり、連結部は可撓性を有するので、突出部に引掛ける物品の奥行き寸法に応じて突出部の突出長さを自在に調整することでき、利便性を向上させるこができる。
【００２３】
本発明の第８の玄関によると、突出部及び連結部は、それぞれ上下方向に間隔を空けて複数配置されるので、物掛け兼用手すりに多くの物品を引掛けることができ、利便性を向上させることができる。
【００２４】
本発明の第９の玄関によると、物掛け兼用手すりは、把持部、突出部、及び連結部に着脱可能な第２フック部を有するので、所望する位置に第２フック部を取り付けて物品を引掛けることができ、利便性を向上させることができる。
【００２５】
本発明の第１０の玄関によると、第２フック部は、断面視略円形に形成された把持部、突出部、及び連結部に係止する円筒形状の嵌合部と、嵌合部に係合するとともに、嵌合部の円周方向に回動し、物品を引掛ける引掛けフックを形成した回動部と、を具備するので、嵌合部を把持部、突出部、及び連結部のいずれかに係止させた状態で回動部を回動させると、引掛けフックを所望する位置に動かすことができ、利便性を向上させることができる。
【図面の簡単な説明】
【００２６】
【図１】玄関を示す平面図。
【図２】玄関を示す断面図。
【図３】Ａ−Ａ部分拡大断面図。
【図４】物掛け兼用手すりの使用例を示す正面図。
【図５】複数の把持部の太さをそれぞれ異ならせるとともに、壁面からの離間距離を異ならせた状況を示す物掛け兼用手すりの平面図。
【図６】複数の突出部の長さをそれぞれ異ならせた状況を示す平面図。
【図７】突出部の伸縮状況を示す平面図。
【図８】第２フック部を有する物掛け兼用手すりを示す側面図。
【図９】Ｂ部分拡大断面図。
【図１０】嵌合部及び回動部を開状態にした状況を示す斜視図。
【発明を実施するための形態】
【００２７】
以下、本発明に係る玄関の実施形態について各図を参照しつつ説明する。本願発明の玄関１は、主に賃貸住宅に設置される玄関で、手すり機能と物掛けの機能とを兼ねた物掛け兼用手すり２を備えている。図１及び図２は玄関１を示す平面図の一例であり、玄関１は、玄関出入口１１ａに面する玄関土間１１と、玄関土間１１よりも室内側に位置する玄関ホール１２と、で構成され、両空間１１、１２の境界には段差１２ａが形成されている。平面視において、玄関１の間口方向の両端には奥行き方向へ延びる第１壁体Ｗ１、及び第２壁体Ｗ２が形成されており、玄関１に面する第１壁体Ｗ１の壁面Ｗ１ａには、段差１２ａ付近に物掛け兼用手すり２が設置されている。段差１２ａの高さは、例えば１００ｍｍ〜１５０ｍｍ程度であり、身体的にハンディキャップを持つ居住者は、段差１２ａを昇降する際の補助として物掛け兼用手すり２を使用することができる。また第１壁体Ｗ１は、物掛け兼用手すり２を固定するために予め壁体内に壁下地材として構造用合板などの補強材を設置されている。
【００２８】
物掛け兼用手すり２は、図１〜図３に示すように、垂直方向へ延びる長尺な把持部２１を壁面Ｗ１ａから室内方向へ突出する突出部２２で２点支持してなる縦型手すりである。把持部２１は水平方向へ間隔を空けて２本配置されており、下端部を壁面方向へ折曲してフック状の第１フック部２１ａを形成している。また、隣合う把持部２１同士は、それぞれ長さＬ１が異なっているとともに、水平方向へ延びる棒状の連結部２３によって連結され、この連結部２３は、先端部が一方の把持部２１から、隣合う把持部２１と反対の方向へ水平方向へ突出している。そして、把持部２１の上端部２１ｂは、最も上部に設置された突出部２２の上端２２ａ及び連結部２３の上端２３ａよりも上方へ突き出した形状となっている。
【００２９】
このように構成される物掛け兼用手すり２には、図４に示すように、把持部２１の第１フック部２１ａ及び上端部２１ｂ、突出部２２、連結部２３に、外出時に必要な様々な物品（例えば、外出着、傘、買い物袋、帽子、子供の鞄、幼児の砂場セットなど）や、また室内への持ち込みを避けたいアウトドア用品、回収されるリサイクルごみが入った袋などを掛けておくことができる。また、図５に示すように、物掛け兼用手すり２は、掛けたい物の形状に応じて２本の把持部２１のそれぞれの長さ、太さ、壁面Ｗ１ａからの距離、突出部２２及び連結部２３の太さを異ならせてもよい。例えば、垂直方向の長さＬ１が短く、壁面Ｗ１ａからの距離Ｌ２が長い把持部２１の第１フック部２１ａには、奥行きがあるサッカーボールの入った袋を吊下げることができ、また、垂直方向の長さＬ１が長く、壁面Ｗ１ａからの距離Ｌ２が短い把持部２１の第１フック部２１ａには、ペット用のリードや比較的平面的な小さい手さげ袋を掛けておくことができる。また、細い突出部２２や連結部２３には鍵類やカラビナなど細かなものを掛けておき、太い突出部２２や連結部２３には外出着や傘のような太さのあるものを掛けておくことができる。さらに、物掛け兼用手すり２は、単に日用品などを掛けるだけでなく、観葉植物やドライフラワー、照明、イベント（例えば、誕生日、クリスマス、正月など）ごとの関連用品などを飾り、玄関１廻りの意匠性を高めることもできる。
【００３０】
また突出部２２は、図６及び図７に示すように、伸縮自在とすることもできる。突出部２２の伸縮方法は特に限定されないが、例えば図７に示すように、突出部２２を第１壁体Ｗ１に固定する円筒状の第１部材２２ｂと、第１部材２２ｂ内に挿入される同じく円筒状の第２部材２２ｃと、に分け、先端に第１部材２２ｂ及び第２部材２２ｃを挿通する係止片２２ｅを設置した板バネ２２ｄを第２部材２２ｃの内周面に固定しておき、係止片２２ｅを板バネ２２ｄの弾性力に抗して押圧しながら第２部材２２ｃの第１部材２２ｂからの引出し長さを調節することで突起部２２を伸縮させることができる。
【００３１】
把持部２１、突出部２２、連結部２３の材質は特に限定されないが、木材や硬質樹脂などの断面視円形の部材とすることが望ましく、また、先述したように突出部２２を伸縮自在とする場合は、連結部２３の材質を可撓性を有する例えば弾性ゴム部材とすることで突出部２２の長さ調節を円滑に行うことができる。そして、把持部２１、突出部２２、連結部２３の太さや長さ、把持部２１の壁面Ｗ１ａからの離間距離Ｌ１は、掛ける物品や使用勝手によって居住者が所望する寸法とすることができるが、把持部２１は、通常の手すりとしても使用されるため、２本ある把持部２１のうち少なくとも一本の各部の寸法は、一般的な縦型手すりの設置基準の範囲内の寸法とされる。
【００３２】
なお図示例では水平方向へ並ぶ把持部２１を２本としているが、本数は特に限定されることはなく、３本以上としてもよい。また突出部２２は、把持部２１を上下方向２箇所で支持し、同じく連結部２３も２箇所で把持部２１同士を連結しているが、支持や連結が可能であれば設置箇所を２箇所未満、又は３箇所以上としてもよい。そして連結部２３は、先端部を必ずしも一方の把持部２１から隣合う把持部２１と反対の水平方向へ突出させる必要はなく、玄関１の広さや物掛け兼用手すり２に掛ける物によっては突出部分を設けなくてもよい。
【００３３】
また物掛け兼用手すり２には、図８から図１０に示すように、第２フック部２４を設置してもよい。第２フック部２４は、把持部２１、突出部２２、連結部２３に着脱自在に設置可能な物を掛けるためのフックであり、把持部２１、突出部２２、連結部２３に嵌合する円筒形状の嵌合部２４ａと、嵌合部２４ａに係合するとともに、嵌合部２４ａの円周方向へ回動し、物品を引掛ける引掛けフック２５ａを形成した同じく円筒形状の回動部２４ｂと、設置する部材に第２フック部２４を固定する固定ねじ２４ｃと、を備えている。
【００３４】
第２フック部２４の構成及び各部材への係止方法は特に限定されないが、図９及び図１０を参照しつつ一例を簡単に説明する。嵌合部２４ａは、回動部２４ｂの上下に位置しており、回動部２４ｂと当接する小口面には溝２５ｂが形成されてる。また、各嵌合部２４ａ及び回動部２４ｂは垂直方向へ２分割されており、一方の縁端に仕込まれた垂直方向へ延びるヒンジピン２４ｄによって開閉自在に連結されている。そして図１０に示すように、２分割された各嵌合部２４ａのヒンジピン２４ｃと反対側の端部には結合片２５ｃが形成されており、互いに重ね合わせて嵌合することにより２分割された嵌合部２４ａ同士を結合することができる。また図９に示すように、上下に位置する一方の嵌合部２４ａ（図示例では回動部２４ｂの上方向に位置する嵌合部２４ａ）には板厚方向へ貫通する雌ねじ穴２５ｄが形成されており、固定ねじ２４ｃが挿通されている。回動部２４ｂは、嵌合部２４ａに係合して嵌合部２４ａの円周方向へ回動する係合部２５ｅと、係合部２５ｅの外周面から室内側へ突出する引掛けフック２５ａと、からなり、係合部２５ｅは、嵌合部２４ａと当接する小口面に形成された突起片２５ｆを溝２５ｂに嵌め込むことにより、閉状態において、嵌合部２４ａの円周方向へ自由に回動することができる。なお閉状態における嵌合部２４ａ及び回動部２４ｂの内径は、第２フック部２４を設置する部材の径よりも若干大きな径で形成されており、設置する部材を挟んだ状態では、第２フック部２４を部材に沿って自由に摺動させることができる。そして、雌ねじ穴２５ｄへ螺着する固定ねじ２４ｃを嵌合部２４ａの外周面側から締め付け方向へ回動させることにより、第２フック部２４を部材の所望する位置に固定することができ、任意の位置に回動させた引掛けフック２５ａに物を掛けることができる。このように、第２フック部２４は、所望する位置に設置が可能であるので、利便性を向上させることができる。
【００３５】
以上のように、本願の玄関１によると、手すり機能と物掛けの機能とを有する物掛け兼用手すり２を玄関土間１１と玄関ホール１２との境界付近に設置しているので、居住者が日常的に手すりを使用しない場合であっても日用品を掛けたり装飾品を飾るための物掛けとして手すりを有効に活用することができる。また、把持部２１は複数本設置されるので、手すりと物掛けとを使い分けたり、また、居住者間で物掛けとして使用する把持部２１を使い分けたりすることができる。そして物掛け兼用手すり２は、通常の縦型手すりと同等程度のシンプルな構造となっているため、特殊な部材や工法を用いる必要がなく、設置手間や製作費用を効果的に抑制することができる。なお玄関１は、主に賃貸住宅に設置される玄関であるが、住宅に設置される玄関であれば賃貸住宅以外の住宅に設置してもよい。また物掛け兼用手すり２は、玄関１の他にトイレや洗面室など、身体的にハンディキャップを持つ者が日常生活で手すりを必要とする場所に設置してもよい。
【００３６】
本発明の実施の形態は上述の形態に限ることなく、本発明の思想の範囲を逸脱しない範囲で適宜変更することができる。
【産業上の利用可能性】
【００３７】
本発明に係る玄関は、単身者や子育て世帯が入居する賃貸住宅において好適に使用することができる。
【符号の説明】
【００３８】
１      玄関
１１    玄関土間
１２    玄関ホール
２      物掛け兼用手すり
２１    把持部
２１ａ  第１フック部
２１ｂ  把持部の上端部
２２    突出部
２２ａ  突出部の上端
２３    連結部
２３ａ  連結部の上端
２４    第２フック部
２４ａ  嵌合部
２４ｂ  回動部
２５ａ  引掛けフック
Ｌ１    把持部の壁面からの離間距離
Ｌ２    把持部の長さ
【図１】
2020190113.tif 000003
【図２】
2020190113.tif 000004
【図３】
2020190113.tif 000005
【図４】
2020190113.tif 000006
【図５】
2020190113.tif 000007
【図６】
2020190113.tif 000008
【図７】
2020190113.tif 000009
【図８】
2020190113.tif 000010
【図９】
2020190113.tif 000011
【図１０】
2020190113.tif 000012